(57)【特許請求の範囲】
【請求項１】
絹糸に０．８Ｎ・ｍ以下のテンションを加えてトーションレース機により形成された、任意の柄の透かし模様を有するトーションレースで作られたレース製品。
【請求項２】
ボビンから引き出される絹糸に加えられるテンションは、０．４〜０．５Ｎ・ｍであることを特徴とする請求項１に記載されたレース製品。
【請求項３】
絹糸は、生糸、玉糸、絹紡糸、絹紡紬糸の１種又は２種以上の撚糸であることを特徴とする請求項１又は２に記載されたレース製品。
【発明の詳細な説明】
【技術分野】
【０００１】
本発明は、枕カバー、シーツ、ベッドカバー、椅子カバーなどの人体に直接接触させて、又は薄い衣服を着た状態で間接接触させて用いられるレース製品に関する。
【背景技術】
【０００２】
従来の枕カバー、シーツ等の人体に直接接触させて又は薄い衣服を着た状態で間接接触させて用いられる寝具類用製品は、布（透かし模様のない織物）製であり、また、従来の人体に衣類を介して間接的に触れるベッドカバーや椅子カバーは、布又はレース（透かし模様のある織物又は編物）製である。
【発明の開示】
【発明が解決しようとする課題】
【０００３】
人体からは１日に１．５〜２．０リットルの水分が発散される。従って、人体に直接又は間接に触れて用いられる枕カバー、シーツ、ベッドカバーあるいは椅子カバーは、使用時の快適さと保健衛生上、人体から発散される上記水分を吸収して外気に放出する機能、すなわち、透湿性（通気性）を有することが望ましい。
【０００４】
そのため、従来、シーツ、枕カバー、ベッドカバーあるいは椅子カバーには、吸湿性のよい繊維を用いて作られた、通気性のよい構造を有する布製が使用されてきた。吸湿性のよい繊維として、木綿や絹などの天然繊維があるが、従来品は布製であるため、ある程度の吸湿性を有するが放湿性はあまり良くなく、汗を吸い込んだ布地は、通気性が悪くなり、短時間の使用後にシーツやカバー内に余分な湿気が残留するため、熱がこもって、しっとりしてくるので、寝心地や使い心地が良くないという問題がある。
【０００５】
そこで、枕については、使用時の快適さを求めて、枕の吸湿性と放湿性の向上のために中に活性炭、蕎麦殻等を入れたものが普及しているが、この枕を使用するときは、汚れ防止や痛み緩和などのために、布製枕カバーを装着しているのが通例である。
【０００６】
また、布団については、就寝時の快適さを求めて、布団の吸湿性と放湿性の向上のために各種形状の凹凸を有するマットを使用する例が多いが、この場合も、マットの汚れや摩耗の防止のため、マット上面に布製シーツを敷いているのが通例である。
【０００７】
従って、枕やマット又は敷き布団の表面と人体との間には、布製の枕カバー又はシーツが介在し、人体の表面に通気性の良くない布面が接触するので、接触当初は人体から発散した水分がその枕カバーやシーツに吸水されるが、比較的短時間の内に吸水率が低下して湿気が残留し、低い放湿性と保温性のために寝心地が悪くなって、頻繁に寝返りをしたり、頭が枕から外れたり、掛け布団を外したりするため、安眠の妨げになっている。また、布製の枕カバーやシーツは、一般に薄いので、使用により人体との接触面の摩耗が早く、脆弱になるため、繰り返し洗濯に耐えられない。すなわち、耐久性に劣っている。
【０００８】
絹は吸湿性と放湿性に優れていることが知られている。しかし、耐摩耗性を備えた絹布製の枕カバー又はシーツを作るためには高価な正絹糸を用いる必要があり、勢い高価な製品となるばかりでなく、体重の負荷により布の人体接触面が摩耗し、糸の分裂や毛羽立ち等を生じやすいので、寿命が短く不経済である。
【０００９】
さらに、通気性を確保するためには、レース製の枕カバーやシーツを用いることが考えられるが、従来のレースは、安価量産を目論んだ高速レース機による機械レースであるから、レースの組織がかなり硬いため、透かし模様や糸の結び目が接触している肌に跡が残るほど食い込み、それによる不快感は長時間の睡眠中には堪え難いものとなるため、実用に供されていない。仮に柔らかい組織のレースを用いるとしても、従来の機械レースはどこかの糸が切れると、他の部分が芋蔓式にほつれるので、布製の場合と同様に、耐久性に乏しい欠点がある。
【００１０】
以上のように、従来、寝具類の人体と接触する部分を覆うカバーには、通気性及び放湿性が良いものがなく、体の温もりでしっとりしてきて、発汗性が抑止され、熱がこもってきて寝心地、使い心地が悪くなり、とくにシーツの場合は、病人や身体障害者など長期間寝込む人に、床ずれが発症する原因となっている。しかし、これまで、これを根本的に予防することができる製品が無かった。
【００１１】
今後、老齢化社会の進行とともに介護必要者数が多くなる一方の中で、優れた通気性、吸湿性と放湿性を有して快適な寝心地あるいは使い心地が得られ、床ずれの予防もできるような寝具類カバーの出現が強く要望されている。
本発明は、上記要望に応えるためになされたものである。
【課題を解決するための手段】
【００１２】
上記課題を解決するため、本発明のレース製品は、人体に直接的に接触させて又は薄い衣服を着た状態で間接的に接触させて用いられる、枕カバー、シーツ又はシーツカバー、ベッドカバー、椅子カバー用レース製品であり、絹糸に０．８Ｎ・ｍ以下のテンションを加えてトーションレース機により形成された、任意の柄の透かし模様を有するトーションレースで作られたものであることを特徴としている。
【００１３】
上記構成により、トーションレースで作られた枕カバー、シーツ又はシーツカバー、ベッドカバー、椅子カバーは、レースの組織が柔らかく、風合い（肌触り）が良く、高い通気性、吸水性及び放湿性を有し、引っ張り力に強く、ほつれが発生せず、耐久性に優れている。
【発明の効果】
【００１４】
以上のように、本発明によるレース製品は、絹糸に低テンションを付加して形成されたトーションレースを用いて作られているので、従来の布製のカバーと比較して、柔らかく軽やかで肌触りが良く、通気性と吸水性と放湿性が格段に優れているので、人体に直接接触させて又は薄い衣服を着た状態で間接接触させて用いられる場合は、非常に快適な寝心地や使い心地を与えることができる。また、透かし模様を有するトーションレースの組織構造による刺激効果又は指圧効果に基づく血行促進効果により、健康増進効果に止まらず、皮膚疾患の予防、治療効果を発揮することができる。
【００１５】
また、絹製トーションレースであるので、圧縮弾性が大きく、かつ、引っ張り強さが大きいので、使用者の体形に応じて従順に変形するので、違和感を与えず、かつ、耐久性に優れているため、繰り返し洗濯に耐えることができる。
【００１６】
生糸、玉糸、絹紡糸、絹紡紬糸の１種又は２種以上の撚糸を用いる場合は、用途又は使用場所などに応じて、価格、外観、品質などについて各種等級のカバーを提供することができる。
【発明を実施するための最良の形態】
【００１７】
次に、本発明の実施の形態について説明する。
本発明に係るレース製品は、トーションレース製であるが、そのトーションレースは、既知のトーションレース機を用いて作られる。トーションレース機は、複数本のボビンを水平アーム上に起立させ、これを一組のボビンセットとし、テーブルの上面の円周に沿って多数組のボビンセットを前記アームの中央部を中心に垂直軸回りに揺動自在に配設してある。各組のボビンセットを前記テーブルの円周方向に所定の順序で前記垂直軸回りに右方向又は左方向に揺動させながら、各ボビンから糸をこれにテンションを掛けながら引き出して、テーブルの中心近傍上方に円周に沿って配置されている既知の組み部に引き寄せ、既知の方法によりそれらの糸を組んで組み糸を形成するとともに、テーブルの中心上方に設けてある既知の編み部に引き込むように構成されている。そして、透かし模様の柄を決定するため、例えば、パンチカードのパンチ穴のパターンをカード読取り部により読取り、そのパンチ穴に対応するボビンセットを既知の選択機構により選択してその揺動方向を決定することにより、所定の柄の透かし模様を有する小幅帯状のトーションレースを形成して、順次上方に送り出すようになっている。
【００１８】
そして、本発明のレース製品を作るために用いられるトーションレースを作るときは、上記のように多数のボビンから糸が引き出されて組み部において組み糸が形成されるが、その糸がボビンから引き出される際に、例えば、ボビンにバネなどを押し当てて回転摩擦を加えるなどして、各糸に０．８Ｎ・ｍ以下のテンションが加えられる。
【００１９】
一般のトーションレース機では、糸に加えられるテンションは約１．０〜１．２Ｎ・ｍである。このため、糸が強く緊張するため、上述したように出来上がるレースは硬い組織を有するものとなった。
【００２０】
これに対して、本発明では、糸組み工程で糸に加えるテンションを０．８Ｎ・ｍ以下、好ましくは０．４〜０．５Ｎ・ｍの範囲に低くした。これにより、組み糸の各繊維の緊張度が低く、ゆとりがあるため、出来上がるトーションレースは全体的に柔らかいものとなる。
【００２１】
また、組み糸を形成し、その後に編んでトーションレースが製作されるので、その特質として、レースは通気性が良く、フンワリと柔らかく、かつ、引っ張り力に対して非常に強い。また、糸が組まれているので、一部の糸が切れてもほつれが生じない。従って、耐摩耗性に優れた耐久性の高いレースが得られる。
【００２２】
上記小幅のトーションレースを所要枚数横方向及び／又は縦方向に結合して、適当な幅と長さの枕カバー、シーツもしくはシーツカバー、ベッドカバー又は椅子カバーを作ることができる。もちろん、大型のトーションレース機を用いれば、そのトーションレース機から直接１枚の枕カバー、シーツもしくはシーツカバー、ベッドカバー又は椅子カバーを作ることが可能である。
【００２３】
上記トーションレースの透かし模様の単一の最大空き面積は、このレースで作られる枕カバー、シーツもしくはシーツカバー、ベッドカバー又は椅子カバーを用いる場合に、人体の一部でも枕や敷き布団又は椅子などに接触させない程度の大きさ、例えば、約１０ｃｍ2 以下である。
【００２４】
本発明によるトーションレースは、素材に絹糸を用いているので、綿の１．３〜１．５倍の吸水性を有し、綿と遜色のない放湿性を有している。従って、このようなトーションレースを用いて作られた枕カバー、シーツ又はシーツカバー、ベッドカバー、椅子カバーはその材質の特性として、吸湿性に優れていて、放湿速度が大きいので、それらの中に余分な湿気が残留しない。また、構造の特性として、通風性に優れている。従って、枕カバー、シーツ、ベッドカバーの場合は、枕や布団あるいはベッドと人体の間に熱がこもることが無く、また、肌触りが良いので、快適である。従って、寝心地が良好で快眠が得られる。
【００２５】
また、本発明によるトーションレースは、上記吸水性、放湿性、通風性に優れていることと、空隙面積が約１０ｃｍ2 以下の透かし模様を備えた組織構造により、これに横臥する人の肌に、その体重により適度な刺激と指圧効果を与えるため、血行促進効果、特に皮膚の血行促進効果及びこれに基づく体温上昇効果が得られる。このため、長期横臥者の床ずれを有効に予防できる効果が得られることは特筆に値する。さらに、人の体表面に密着せず、吸湿性、放湿性及び通風性に優れているため、顕著な健康増進効果が得られるに止まらず、皮膚疾患、例えば、上記床ずれの発症防止又は早期治療効果が大いに期待されるほか、アトピー性皮膚炎、水虫などに対しても優れた治療効果があることが認められている。
【００２６】
しかも、レースの組織が柔らかいので、一般的なレースと異なり、肌に糸の結び目などが食い込んで不快感を与えることがなく、柔らかく人体の凹凸又は曲面に馴染んで変形するので、肌合いが良い。
【００２７】
この観点から、パジャマ、ナイトガウン、ネグリジェ等の人の肌上に直接被着する衣服を本発明によるトーションレースを用いて作った場合も、上記と同様の作用効果が得られることが期待される。
【００２８】
さらに、トーションレースを用いるので、引っ張り力に対して非常に強く、一部の糸が切れてもほつれが生じないので、長期の使用にも繰り返し洗濯にも耐えることができ、耐久性に優れている。比較的大きい摩擦力を受けやすいベッドカバー、椅子カバーとしても長期間の使用が可能である。
【００２９】
レース素材である絹糸は、生糸、玉糸、絹紡糸、絹紡紬糸の１種又は２種以上の撚糸のいずれをも用いることができる。宿泊業など客商売を行う施設では、高価でも光沢ある外観と高級感のある生糸を用いたものが望ましいが、一般家庭においては、比較的安価な玉糸、絹紡糸を用いたもので良く、また、独特な意匠効果を狙いたい場合は、絹紡紬糸を用いることも良い。
【００３０】
絹の特性を活かした光沢のある色彩豊かな寝具類の提供が可能である。また、絹は、軽やかで圧縮弾性が大きいので、肌触りが良く、永久変形をすること無く、いつまでも厚さを保ち、快適さを持続する。
【００３１】
さらに、絹は、大量の吸湿や洗濯時の浸水による繊維の縮み率が綿よりも大きいが、本発明のカバーは、低テンション付加により緊張度の少ない組み糸を有するトーションレースを用いているので、吸湿や浸水によるカバー全体の縮みがなく、組織が硬くなって、肌触りが悪くなることがない。
【００３２】
低テンションを付加して形成されたトーションレース製の枕カバーは、組織が柔らかく、かつ、透かし模様の存在により摩擦係数が大きいので、これを枕に一部が二重になるように巻くことにより、枕にしっかり止まり、脱落せずに使用することができる。また、シーツはマット又は敷き布団の上に直に敷いて使用し、又は、従来のシーツの上にシーツカバーとして用いることができる。椅子カバーは、家具椅子のほか、自動車椅子のカバーとして用いても同様な快適さを享受することができる。
【産業上の利用可能性】
【００３３】
本発明のレース製品は、枕カバー、シーツ、シーツカバー、ベッドカバー、家具椅子用カバー、自動車椅子のカバーとして用いることができる。
パジャマ、ナイトガウン、ネグリジェ等の人の肌上に直接被着する衣服にも適用可能である。